(57)【要約】【課題】前向きにも後向きにも設置することができ、しかも安価に構成することが可能なチャイルドシートを提供する。【解決手段】チャイルドシート１は、該シートクッション１１上に載置されるベース２と、該ベース２上に前後向き調節不能に設置された座席部３とを有する。この座席部３は、ベース２に対しリクライニング可能に且つ前後位置調節可能に取り付けられている。ベース２の後部に設けられたアーム５ＲをＩＳＯ−ＦＩＸアンカ１３に係合させることによりチャイルドシート１が前向きに設置される。前側のアーム５Ｆをアンカ１３に係合させることにより、チャイルドシート１が後向きに設置される。【選択図】図１
2007131105.tif 000002
【特許請求の範囲】
【請求項１】
ベースと、該ベース上に前後向き変更不能に設けられた座席部とを有し、
車両に設けられたアンカに対して係止されるＩＳＯ−ＦＩＸ方式の係止部材が該ベースに設けられているチャイルドシートにおいて、
該係止部材が該ベースの前後両側に設けられていることを特徴とするチャイルドシート。
【請求項２】
請求項１において、前記座席部がベースに対しリクライニング角度調節可能に取り付けられていることを特徴とするチャイルドシート。
【請求項３】
請求項１又は２において、前記座席部がベースに対し前後位置調節可能に取り付けられていることを特徴とするチャイルドシート。
【請求項４】
請求項１ないし３のいずれか１項において、前記係止部材に対し着脱されるサポートレッグを備えたことを特徴とするチャイルドシート。
【発明の詳細な説明】
【技術分野】
【０００１】
本発明は、車両の座席に設置されるチャイルドシートに関する。
【背景技術】
【０００２】
車両に設置されるチャイルドシートとして、国際標準化機構で規格化されたＩＳＯ−ＦＩＸタイプのチャイルドシートがある（例えば特開２００４−１０６６６８号、ＥＰ０９７０８４２Ａ１）。
【０００３】
これらの公報に記載のＩＳＯ−ＦＩＸタイプのチャイルドシートにあっては、シートクッション上にチャイルドシートを載せ、このチャイルドシートの下部（ベース）の後部に設けられた係止部材を、車体に設けたアンカーバーに連結する。
【０００４】
車両の座席に設置されたチャイルドシートに対しては、車両が正面衝突（オフセット衝突を含む。以下、同様。）するなどして急減速した場合に、車両前方へ向って大きな力が加えられる。チャイルドシートの下部が座席に拘束されていると、この急減速時にはチャイルドシートの上部が車両前方へ倒れるようにチャイルドシートに回動力が生じる。
【０００５】
このようなチャイルドシート上部の回動を阻止するために、上記特開２００４−１０６６６８号公報の図８に記載されているように、サポートレッグを設けることがある。
【０００６】
上記ＥＰ０９７０８４２Ａ１には、ベースに対し座席部を前後方向位置調節可能に取り付けることが記載されている。
【特許文献１】特開２００４−１０６６６８号
【特許文献２】ＥＰ０９７０８４２Ａ１
【発明の開示】
【発明が解決しようとする課題】
【０００７】
上記各公報のようにベースの後部にのみ係止部材を設けたチャイルドシートは、前向きにしか設置することができない。
【０００８】
座席部をベースに対し前後向き変更可能に取り付けたタイプのチャイルドシートも市販されているが、座席部をベースに対し取り付ける機構にコストがかかり、チャイルドシートが高価となる。
【０００９】
本発明は、前向きにも後向きにも設置することができ、しかも安価に構成することが可能なチャイルドシートを提供することを目的とする。
【課題を解決するための手段】
【００１０】
請求項１のチャイルドシートは、ベースと、該ベース上に前後向き変更不能に設けられた座席部とを有し、車両に設けられたアンカに対して係止されるＩＳＯ−ＦＩＸ方式の係止部材が該ベースに設けられているチャイルドシートにおいて、該係止部材が該ベースの前後両側に設けられていることを特徴とするものである。
【００１１】
請求項２のチャイルドシートは、請求項１において、前記座席部がベースに対しリクライニング角度調節可能に取り付けられていることを特徴とするものである。
【００１２】
請求項３のチャイルドシートは、請求項１又は２において、前記座席部がベースに対し前後位置調節可能に取り付けられていることを特徴とするものである。
【００１３】
請求項４のチャイルドシートは、請求項１ないし３のいずれか１項において、前記係止部材に対し着脱されるサポートレッグを備えたことを特徴とするものである。
【発明の効果】
【００１４】
請求項１のチャイルドシートは、ベースの前後両側に係止部材が設けられているので、前向きにも後向きにも設置することができる。このベースに対し座席部は前後向き変更不能に設けられているので、構造が簡易であり、チャイルドシートを低コストに構成することが可能である。
【００１５】
請求項２によれば、例えばチャイルドシートを前向きに設置したときには座席部の背もたれを比較的起こした状態とし、チャイルドシートを後向きに設置したときには座席部の背もたれを比較的寝かせた状態とすることが可能である。
【００１６】
請求項３によれば、例えばチャイルドシートを前向きに設置した場合と後向きに設置した場合とで座席部の位置を変更することが可能となる。
【００１７】
請求項４によれば、チャイルドシートを前向き及び後向きのいずれの状態に設置した場合でも、サポートレッグによってチャイルドシートを支えることができる。
【発明を実施するための最良の形態】
【００１８】
以下に、図面を参照して本発明の実施の形態について説明する。
【００１９】
第１図は実施の形態に係るチャイルドシート及び車両の座席付近の斜視図、第２図はこのチャイルドシートの座席への設置状態を示す側面図、第３図はチャイルドシートの後向きの設置状態を示す側面図である。
【００２０】
この実施の形態では、車両の後部座席（以下、単に座席と略す。）１０上にチャイルドシート１が設置される。
【００２１】
この座席１０は、シートクッション１１とシートバック１２とを有している。該シートクッション１１の下端付近に、ＩＳＯ−ＦＩＸ方式のチャイルドシート係止用アンカ（以下、ＩＳＯ−ＦＩＸアンカと称することがある。）１３が設けられている。このＩＳＯ−ＦＩＸアンカ１３は、該座席１０の左右幅方向に所定の間隔をあけて、２個設けられている。
【００２２】
チャイルドシート１は、該シートクッション１１上に載置されるベース２と、該ベース２上に前後向き調節不能に設置された座席部３とを有する。この座席部３は、ベース２に対しリクライニング可能に且つ前後位置調節可能に取り付けられている。
【００２３】
座席部３をリクライニング角度調節可能とするために、ベース側２には、円弧状に湾曲したレールが設けられ、座席部３には該レールに係合し、且つ適宜にロックされるスライド部材とロック部材とからなる周知の機構が設けられている。
【００２４】
また、座席部３を前後位置調節可能とするために、上記円弧状レールを載設した可動体と、該可動体を前後方向に案内する案内部材と、該可動体を適宜位置で固定する固定部材とからなる周知の機構が設けられている。
【００２５】
座席部３には着座者拘束用のハーネス４が設けられている。
【００２６】
ベース２の前後両側に、前記ＩＳＯ−ＦＩＸアンカ１３への係止部材として、ＩＳＯ−ＦＩＸ方式の連結機構５ａを有するアーム５Ｆ及び５Ｒが設けられている。
【００２７】
なお、このベース２には、各アーム５Ｆ及び５Ｒとアンカ１３との連結を解除するための解除レバー（図示略）が設けられている。アーム５Ｆ，５Ｒは互いに同一構成のものである。このアーム５Ｆ，５Ｒ及びアンカ１３の係合構造としては各種のものを用いることができ、特に限定されるものではない。
【００２８】
第１図及び第２図は、チャイルドシート１を前向きにして設置した状態を示している。この状態では、ベース２の後部に設けられたアーム５ＲをＩＳＯ−ＦＩＸアンカ１３に係合させている。
【００２９】
なお、このように前向きに設置するのは、比較的体格の大きい場合であり、座席部３は背もたれ部３ａが比較的起立した状態とされている。また、座席部３は比較的後側（アンカ５Ｒ側）にシフトされている。
【００３０】
第３図では、チャイルドシート１は後向きに設置されている。この状態では、ベース２の前側のアーム５ＦがＩＳＯ−ＦＩＸアンカ１３に係合させている。
【００３１】
このように後向きに設置するのは、体格の小さい幼児が座る場合であるので、座席部３の背もたれ部３ａは比較的深く寝た（水平に近い）リクライニング角度とされている。また、座席部３は比較的アーム５Ｆに近い側にシフトされている。
【００３２】
この実施の形態では、サポートレッグ２０をアーム５Ｆ又は５Ｒに取り付け、これにより、チャイルドシート１の前方への回転を阻止するようにしている。
【００３３】
このように、この実施の形態によると、チャイルドシート１を前向きにも後向きにも設置することができる。しかも、座席部３をベース２に対し離脱不能に設けており、構造が簡易であり、コストが安い。
【００３４】
上記実施の形態は本発明の一例であり、本発明は上記実施の形態に限定されるものではない。
【図面の簡単な説明】
【００３５】
【図１】実施の形態に係るチャイルドシート及び車両の座席付近の斜視図である。
【図２】チャイルドシートの座席への設置状態を示す側面図である。
【図３】チャイルドシートの座席への設置状態を示す側面図である。
【符号の説明】
【００３６】
１  チャイルドシート
２  ベース
３  座席部
５Ｆ，５Ｒ  アーム
１０  座席
１１  シートクッション
１２  シートバック
１３  ＩＳＯ−ＦＩＸアンカ
【図１】
2007131105.tif 000003
【図２】
2007131105.tif 000004
【図３】
2007131105.tif 000005